(57)【特許請求の範囲】
【請求項１】
取付枠にフィルタ材を脱着自在に装着したレンジフード用フィルタ装置であって、
上記取付枠は、長尺な平板材の長手方向に沿った両側縁部にガイド板とスライド溝部とを対向させて一体形成した樋状連結板と、Ｌ字状平板材の外側縁部に沿って植立固定された側板を有し、上記側板を樋状連結板のガイド板に摺接させて案内しつつ上記Ｌ字状平板材内側縁部をスライド溝部に摺動自在に嵌合させて樋状連結板に連結されるコーナ板とで構成され、方形配置した４枚のコーナ板を４枚の樋状連結板で連結して方形枠を形成し、コーナ板を連結したまま前後左右に伸縮自在にスライドさせて枠寸法形状を任意に変えると共に、クリップ部材でガイド板と側板とを挟み付けて連結板とコーナ板とを固定し、且つ、クリップ部材に、変形可能なフィルタ材押え固定用ワイヤ部材が脱着自在に装着される保持部を一体に設けたことを特徴とするレンジフード用フィルタ装置。
【請求項２】
上記フィルタ材押え固定用ワイヤ部材はコ字状保持部を有し、コ字状中間部でクリップ部材に保持されてコ字状両脚部をフィルタ材押え固定に用いたことを特徴とする請求項１記載のレンジフード用フィルタ装置。
【発明の詳細な説明】
【０００１】
【発明の属する技術分野】
本発明はレンジフード用フィルタ装置に関し、詳しくはフィルタ材の取付枠に関するものである。
【０００２】
【従来の技術】
従来の台所レンジフード用フィルタ装置は、各種レンジフードに対応して多種類取り揃えられており、そこから最適のフィルタ装置を選択的に使用する。
【０００３】
【発明が解決しようとする課題】
従来のレンジフード用フィルタ装置はレンジフードの種類に対応して各種寸法のものを取り揃えなければならないため、コスト増を招くという不具合がある。
【０００４】
【課題を解決するための手段】
本発明は、取付枠にフィルタ材を脱着自在に装着したレンジフード用フィルタ装置であって、上記取付枠は、長尺な平板材の長手方向に沿った両側縁部にガイド板とスライド溝部とを対向させて一体形成した樋状連結板と、Ｌ字状平板材の外側縁部に沿って植立固定された側板を有し、上記側板を樋状連結板のガイド板に摺接させて案内しつつ上記Ｌ字状平板材内側縁部をスライド溝部に摺動自在に嵌合させて樋状連結板に連結されるコーナ板とで構成され、方形配置した４枚のコーナ板を４枚の樋状連結板で連結して方形枠を形成し、コーナ板を連結したまま前後左右に伸縮自在にスライドさせて枠寸法形状を任意に変えると共に、クリップ部材でガイド板と側板とを挟み付けて連結板とコーナ板とを固定し、且つ、クリップ部材に、変形可能なフィルタ材押え固定用ワイヤ部材が脱着自在に装着される保持部を一体に設けたことを特徴とする
【０００７】
又、ワイヤ部材はコ字状保持部を有し、コ字状中間部でクリップ部材に保持されてコ字状両脚部をフィルタ材押え固定に用いたことを特徴とする。
【０００８】
【発明の実施の形態】
本発明に係るレンジフード用フィルタ装置の実施の形態を図１〜図４を参照して以下に説明する。まず図１（ａ）は本発明に係るレンジ用フードフィルタ装置の取付枠（１）の斜視図を示し、図１（ａ）において（２）は樋状連結板、（３）はコーナ板である。
【０００９】
樋状連結板（２）は、図１（ｂ）に示すように、長尺な平板材（２ａ）の長手方向に沿った両側縁部にガイド板（２ｂ）と内向き開口のスライド溝部（２ｃ）とを対向させて樋状に一体形成したものである。コーナ板（３）はＬ字状平板材（３ａ）の外側縁部に沿って植立固定された側板（３ｂ）を有し、図１（ａ）（ｃ）に示すように、側板（３ｂ）を連結板（２）のガイド板（２ｂ）に摺接させて案内しつつＬ字状平板材（３ａ）の内側縁部（３ｃ）をスライド溝部（２ｃ）に摺動自在に嵌合して連結板（２）に連結される。
【００１０】
上記構成に基づき本発明の動作を次に説明する。まず本発明に係るレンジフード用フィルタ装置の取付枠（１）は、図１（ａ）に示すように、４枚のコーナ板（３）…を方形状に配置し、図１（ｃ）に示すように、側板（３ｂ）をガイド板（２ｂ）に摺接させて案内しつつ平板材（３ａ）の内側縁部をスライド溝部（２ｃ）に摺動自在に嵌合して各コーナ板同士を４枚の連結板（２）…により連結し、方形枠を形成したものである。
【００１１】
そうすると、コーナ板（３）…を連結板（２）…で連結したまま前後左右に伸縮自在にスライドさせることにより枠寸法を任意に変えることが可能となり、レンジフードの寸法形状が変わっても同じフィルタ装置の枠寸法を変えるだけで即座に使用出来、適宜、フィルタ材を取付枠（１）に装着すれば良い。
【００１２】
次に、図２（ａ）〜（ｄ）に示す本発明の他の実施の形態は、上記構成にクリップ部材（４）を付加したもので、図２（ａ）〜（ｃ）に示すように、ガイド板（２ｂ）と側板（３ｂ）とをクリップ部材（４）で挟み付けてコーナ板（３）と連結板（２）とを固定したものである。尚、図２（ａ）〜（ｃ）に示すクリップ部材（４）は、クリップ部（４ａ）の内側下端部を上方に屈曲させて後述のフィルタ材押え固定用ワイヤ部材（５）が装着される保持部（４ｂ）を形成したもので、その他、図２（ｄ）に示すように、クリップ部のみからなるクリップ部材（６）でも良い。
【００１３】
又、図３（ａ）（ｂ）及び図４（ａ）（ｂ）に示す他の各実施の形態はクリップ部材（４）に上述の変形可能なフィルタ材押え固定用金属製ワイヤ部材（５）を装着したもので、図示毎にそれぞれ異なる形状のワイヤ部材（５ａ）〜（５ｄ）を示す。
【００１４】
まず図３（ａ）に示すワイヤ部材（５ａ）は湾曲ワイヤ（５ａａ）の両端部に一対のＬ字状ワイヤ（５ａｂ）…の各一端部を接続したものである。そして、各コーナ板（３）…を前後左右にスライドさせてフィルタ材寸法に応じて方形枠寸法を設定した後、取付枠（１）の各コーナにＬ字に沿ってそれぞれ２個ずつクリップ部材（４）…を挟み付けてコーナ板（３）…を固定する。
【００１５】
次に、フィルタ材（図示せず）を取付枠（１）に収納した後、２個のワイヤ部材（５ａ）（５ａ）の彎曲ワイヤ（５ａａ）（５ａａ）を取付枠寸法に合わせて伸縮変形させながら各Ｌ字状ワイヤ（５ａｂ）（５ａｂ）をクリップ部材（４）…の保持部（４ｂ）…に収納する。そして、彎曲ワイヤ（５ａａ）（５ａａ）を部分的に重ね合せつつワイヤ部材（５ａ）（５ａ）をクリップ部材（４）…で保持し、フィルタ材を押え固定する。
【００１６】
又、図３（ｂ）に示すワイヤ部材（５ｂ）は上述のワイヤ部材（５ａ）を変形し、彎曲ワイヤ（５ｂａ）の中央部（５ｂｂ）を巻回成形してＬ字状ワイヤ（５ｂｃ）の保持部（５ｂｄ）をコ字状に屈曲成形したもので、コ字状中間部（Ｍ）でクリップ部材（４）に保持されてコ字状両側部（Ｓ）（Ｓ）をフィルタ材の押え固定に用いる。
【００１７】
又、図４（ａ）に示すワイヤ部材（５ｃ）はＺ形ワイヤ（５ｃａ）の対向辺（５ｃｂ）（５ｃｂ）の外側に沿って保持ワイヤ（５ｃｃ）（５ｃｃ）を延長成形した伸縮変形自在のワイヤで、保持ワイヤ（５ｃｃ）をクリップ部材（４）に収納してワイヤ部材（５ｃ）を保持し、Ｚ形をフィルタ材押え固定に用いる。
【００１８】
又、図４（ｂ）に示すワイヤ部材（５ｄ）はＺ形ワイヤ（５ｄａ）の対向辺（５ｄｂ）を保持ワイヤとし、その内側に沿って押え固定部（５ｄｃ）を延長成形した伸縮変形自在のワイヤで、２個のワイヤ部材（５ｄ）（５ｄ）を中間部でＸ形に重ね合せ、保持ワイヤ（５ｄｂ）をクリップ部材（４）に収納してワイヤ部材（５ｄ）を保持し、Ｘ形をフィルタ材押え固定に用いる。
【００１９】
【発明の効果】
本発明によれば、レンジフード用フィルタ装置において、フィルタ材の取付枠を前後左右に伸縮自在に形成して任意の寸法形状に可変出来るようにしたから、各種寸法のレンジーフードに対し同一取付枠を適宜自在に伸縮変形して直ちに適応寸法に設定出来るようになり、取付枠の交換が不要になってコストを低減出来る。
【図面の簡単な説明】
【図１】（ａ）は本発明に係るレンジフード用フィルタ装置の実施の形態を示す取付枠の斜視図。
（ｂ）は本発明に係る取付枠のコーナ板と連結板を示す部分斜視図。
（ｃ）は本発明に係る取付枠のコーナ板と連結板の連結状態を示す断面図。
【図２】（ａ）（ｂ）は本発明に係る取付枠のコーナ板と連結板を挟み付けるクリップ部材を示す斜視図と断面図。
（ｃ）は本発明に係るコーナ板と連結板をクリップ部材で挟み付けた取付枠を示す平面図。
（ｄ) は本発明に係る他のクリップ部材を示す部分斜視図。
【図３】（ａ）（ｂ）はフィルタ材押え固定用ワイヤ部材の各実施の形態を示す平面図。
【図４】（ａ）（ｂ）はフィルタ材押え固定用ワイヤ部材の他の各実施の形態を示す平面図。
【符号の説明】
１  取付枠
２  連結板
２ａ平板材
２ｂガイド板
２ｃスライド溝部
３  コーナ板
３ａＬ字状平板材
３ｂ側板
３ｃ内側縁部
【図１】
0004190633.tif 000002
【図２】
0004190633.tif 000003
【図３】
0004190633.tif 000004
【図４】
0004190633.tif 000005